(57)【要約】      （修正有）【課題】仕切り材を底面材と接合することで、書類等を収納した際に蛇腹状の収納部が膨出し収納部の位置ずれや破損を防ぐドキュメントファイルを提供する。【解決手段】一連に連設されている表面材３、裏面材４、底面材５及び蓋材６と、表面材３と裏面材４の左右両端部に接合し伸縮自在となった蛇腹状の右側面材７及び左側面材８と、表面材３と裏面材４の間に配置して左右両端部を右側面材７及び左側面材８に接合して、複数の書類等収納部９を形成する多数の仕切り材２を備えたドキュメントファイルにおいて、仕切り材２にストッパを設け底面材５と接合することで、書類等収納部９が外側へ膨出したり破損を防ぐ。【選択図】図２
0003199621.tif 000002
【実用新案登録請求の範囲】
【請求項１】
表面材と、この表面材に底面材を介して対向配置された裏面材と、表面材と裏面材の左右両端部にそれぞれ接合し、伸縮自在となった蛇腹状の右側面材及び左側面材と、表面材と裏面材の間に配置して左右両端部を右側面材及び左側面材に接合して、複数の書類等収納部を形成する多数の仕切り材とを備え、前記仕切り材の少なくとも１箇所に底面材との接合個所を設けることで、伸縮自在となった蛇腹状の側面材が外側へ膨出することを規制すると共に収納部の破損を防止することを特徴とする、収納部の位置ずれ防止構造を備えたドキュメントファイル。
【考案の詳細な説明】
【技術分野】
【０００１】
本考案は、蛇腹状の収納部の位置ずれや破損を防止する構造を備えたドキュメントファイルに関するものである。
【背景技術】
【０００２】
複数の書類等収納部を形成する多数の仕切り材を備えたドキュメントファイルにおいて、表面材及び裏面材と、表面材と裏面材を連設する底面材と、表面材と裏面材の左右両端部にそれぞれ接合し、伸縮自在となった蛇腹状の右側面材及び左側面材と、表面材と裏面材の間に配置して左右両端部を右側面材及び左側面材に接合して、複数の書類等収納部を形成する多数の仕切り材とを備える。
上記仕切り材間の書類等収納部の各々には、書類等を分類して入れる事ができ、書類等の量に応じて蛇腹状の左右側面材が伸長し、複数の書類等収納部の収納容積が拡大することができる。
【０００３】
ドキュメントファイルは、書類の枚数によって収納容積が拡大する構造上、蛇腹状の左右側面材は可撓性を有する材料で形成されている。
それゆえ書類等を収納した状態でドキュメントファイルを側面方向に傾けると、書類等の収容枚数によっては書類の重みが直接蛇腹状の側面材にかかり、蛇腹状の側面材が外側に向かって膨出したり、側面材が書類等の重さに耐え切れず破損する恐れがある。
【先行技術文献】
【特許文献】
【０００４】
【特許文献１】特開平１１−１０５４８２号公報
【考案の概要】
【考案が解決しようとする課題】
【０００５】
解決しようとする問題点は、書類等を収納した際に蛇腹状の収納部が膨出し、収納部の位置ずれや破損が発生する点である。
【課題を解決するための手段】
【０００６】
本考案は、書類等を収納した状態でドキュメントファイルを傾けても、蛇腹状の収納部が膨出せず書類等を収納するために、位置ずれを防止し、収納部の破損を防ぐためのストッパを設けることを特徴とする。
【考案の効果】
【０００７】
本考案のドキュメントファイルは、複数の書類等収納部を形成する多数の仕切り材のうち少なくとも１箇所に底面材との接合個所を設けることで、伸縮自在となった蛇腹状の側面材が外側へ膨出することを規制することができる。
【０００８】
すでに公開されている（特開平１１−１０５４８２）は、収納体のマチ部（本考案では蛇腹状の側面体）の外側への膨出を防止するために表面部と裏面部の左右両端縁の下部領域間を掛け渡すように設けられた一対のストッパ形成片とで構成されるとあり、ドキュメントファイルの側面にストッパが形成され少なからず外観に影響するが、本考案では書類等収納部の内部にストッパと底面材との接合箇所をを形成するため、外観への影響はない。
【図面の簡単な説明】
【０００９】
【図１】図１は本実施形態によるドキュメントファイルを示す斜視図である。
【図２】図２は本実施形態によるドキュメントファイルの蓋材を開けた状態を示す斜視図である。
【図３】図３はドキュメントファイルの構成を表す部材の斜視図である。
【図４】図４は仕切り材と底面材の接合部分を示す拡大横断面図である。
【考案を実施するための形態】
【００１０】
蛇腹状の収納部が外側への膨出を防止するという目的を、仕切り材にストッパを設け底面材と接合箇所を形成することで、構成する部品点数を増やしたり、外観の美感を損ねることなく実現した。
【実施例１】
【００１１】
図１、図２は、本考案の１実施例のドキュメントファイル１で、表面材３と裏面材４との下端部を連設する底面材５と、裏面材４の上端部に折り曲げ可能に連設して、表面材３の表面側に重合させて上部の書類出し入れ口３０を塞ぐ蓋材６と、表面材３と裏面材４の左右両端部にそれぞれ接合し伸縮自在となった蛇腹状の右側面材７及び左側面材８に接合して、複数の書類等収納部９を形成する多数の仕切り材２とで構成されている。
【００１２】
表面材３、裏面材４、底面材５及び蓋材６は、一連に連設されている。これら一連の表面材３、裏面材４、底面材５及び蓋材６は、樹脂シートにより形成されているが、発泡樹脂シートや革張りシート、布張りシート等の各種のシート材により形成するようにしてもよい。
蓋材６にはゴム紐１２が取り付けられており、このゴム紐１２を表面材３の表面側に設けられた釦部材１１に引っ掛けることにより、蓋材６が表面材３の表面側に重合された際表面材３と裏面材４の上端部間に形成される上部の書類出し入れ口３０を蓋材６によって塞いだ状態に保持される。
なお、ゴム紐１２は、表面材３か裏面材４に取り付けるようにしてもよいし、また、ゴム紐１２を設けることなく蓋材６と表面材３のそれぞれにホック等の係合部材を設けて蓋材６を閉じるようにしてもよい。
【００１３】
蛇腹状の右側面材７及び左側面材８は、樹脂シートにより形成され、その前端部と後端部が表面材３と裏面材４の左右両端部にそれぞれ縫合により接合されているが、溶着、接着、リベット止め等の公知手段で接合するようにしてもよい。なお縫合は、このドキュメントファイル１の外観のステッチ１３模様をも構成している。多数の仕切り材２は、その左右両端部が右側面材７と左側面材８の各蛇腹に溶着により接合されているが、接着、縫合等の公知手段で接合するようにしてもよい。
【００１４】
図３、図４に示すように、多数の仕切り材２のうち少なくとも１つの仕切り材にストッパ１０を設け、底面材５と溶着により接合する。仕切り材２に設けたストッパ１０が底面材５と接合することにより、伸縮自在となった蛇腹状の側面材７、８が外側へ膨出することを規制することができる。なお、ストッパ１０と底面材５の接合箇所２０は溶着のほか接着や縫合等の公知手段で接合するようにしてもよい。
蛇腹状の書類等収納部９を多く設けた場合、ドキュメントファイル１の厚みが厚くなる。そうなると必然的に書類等収納部９も増え、収納できる書類の量も多くなるため、ストッパ１０を設けた仕切り材２を複数とし、底面材５との接合箇所２０を増やすことで厚みと重みに対処する。
【符号の説明】
【００１５】
１    ドキュメントファイル
２    仕切り材
３    表面材
４    裏面材
５    底面材
６    蓋材
７    右側面材
８    左側面材
９    書類等収納部
１０    ストッパ
１１    釦部材
１２    ゴム紐
１３    ステッチ
２０    接合箇所
３０    書類出し入れ口
【図１】
0003199621.tif 000003
【図２】
0003199621.tif 000004
【図３】
0003199621.tif 000005
【図４】
0003199621.tif 000006